(57)【要約】【課題】腰痛や手足のしびれなどが解消でき、安価な設備でも量産ができるマットを提供すること。【解決手段】両外ヒンジ部材５、５及び内ヒンジ部材７、７により、片マット本体１Ａ、１Ａ同士を一方向、即ち裏面側にのみ折り畳み可能に連結する。この後、裏面側にのみ折り畳み可能に連結されたマット本体１をカバー８で被覆する。この場合、面ファスナー９が形成されていない面が就寝者の腰部などに面する側となるように、且つ面ファスナー９が形成されている面がマット本体１が折り畳める側となるように、このカバー８内に片マット本体１Ａと１Ａとが連結されたマット本体１を収納して被覆する。【選択図】図５
2009045195.tif 000002
【特許請求の範囲】
【請求項１】
敷き布団やベッド上に載置されるマットにおいて、合成樹脂材料で構成された複数枚の平板状のマット本体をヒンジで折り畳み可能に連結して、マットカバー内に収納したことを特徴とするマット。
【請求項２】
敷き布団やベッド上に載置されるマットにおいて、合成樹脂材料で構成された複数枚の平板状のマット本体をヒンジで一方向に折り畳み可能に連結して、伸縮性を有するマットカバー内に収納して、折り畳める側を下にして使用することを特徴とするマット。
【発明の詳細な説明】
【技術分野】
【０００１】
本発明は、敷き布団やベッド上に載置されるマットに関するものである。
【背景技術】
【０００２】
就寝中など長時間の使用にも負担の少ない腰枕が、例えば特許文献１などで提案されている。
【特許文献１】特開２００６−１７３２６号公報
【発明の開示】
【発明が解決しようとする課題】
【０００３】
しかし、綿などの弾力性を有する素材を充填した、厚みを具備した２個の袋状の筒の一方の端を背骨幅の薄い繊維生地により連結して、腰椎や脊椎に沿う中央部分には厚みを持たず、腰椎や脊椎の両側を縦に走っている筋肉を支える部分が厚みを持っている構造であるため、長時間の使用に適したものであったとしても、腰痛や手足のしびれなどが解消できるものではなかった。
【０００４】
そこで本発明は、前述せる問題点に鑑み、腰痛や手足のしびれなどが解消でき、且つ安価な設備で量産ができるマットを提供することを目的とする。
【課題を解決するための手段】
【０００５】
このため第１の発明は、敷き布団やベッド上に載置されるマットにおいて、合成樹脂材料で構成された複数枚の平板状のマット本体をヒンジで折り畳み可能に連結して、マットカバー内に収納したことを特徴とする。
【０００６】
また第２の発明は、敷き布団やベッド上に載置されるマットにおいて、合成樹脂材料で構成された複数枚の平板状のマット本体をヒンジで一方向に折り畳み可能に連結して、伸縮性を有するマットカバー内に収納して、折り畳める側を下にして使用することを特徴とする。
【発明の効果】
【０００７】
本発明によれば、腰痛や手足のしびれなどが解消できるマットを提供することでき、また大型の射出成形機を必要とすることなく、安価な設備でも量産ができるマットを提供することができる。
【発明を実施するための最良の形態】
【０００８】
以下、本発明のマットを実施するための最良の形態について、図面を参照しながら説明する。図１は本発明のマット本体１を構成する一方の縦長の平板状の片片マット本体１Ａの表面図であり、この片片マット本体１Ａの一方の縦長辺の両端部は切除され、この両切除部には縦長の外方に延びた支持ピン２が立設されている。
【０００９】
図２に示すように、前記支持ピン２の先端部には中央片２Ａが形成され、この中央片２Ａの外側には間隔を存して抜け止め片２Ｂ、２Ｂが形成されている。この各抜け止め片２Ｂの先端部には、先端から基部に向けて斜めに拡がった抜止部２Ｃが形成されている。
【００１０】
また、前記片片マット本体１Ａの前記一方の縦長辺の中間部位には２ケ所切除され、この両切除部を形成する対向する壁面間には支持ピン３が立設されている。この支持ピン３、３と前記支持ピン２、２とは一直線上に配設される。
【００１１】
なお、前記片片マット本体１Ａは合成樹脂材料、例えば熱可塑性樹脂で硬いＡＢＳ樹脂（アクリロニロリループタジエン−スチレン樹脂）材料で形成され、例えば縦方向が５４ｃｍ程度の長さで、横方向が３０ｃｍ程度の長さの平板状（四角形状）を呈しているが、薄くとも強度を高めるために、就寝者の腰部や背中部（以下、「腰部など」という。）に面する側の面は平面であるが、その裏面側には縦横に複数の補強用のリブ４が立設されている。この片マット本体１Ａは、大型の射出成形機ではなく、簡易型か中型の射出成形機、型締め圧力が例えば５５０ｔ／ｃｍ２程度の射出成形機で作製できる。
【００１２】
図２及び図３に示す５は２つの前記片マット本体１Ａを前記一方の縦長辺同士を向かい合わせた状態で連結する外ヒンジ部材で、２つの前記片マット本体１Ａの各支持ピン２が挿通する挿通孔５Ａ、５Ａが開設され、この挿通孔５Ａはそれを形成する壁面に外方に拡開した段差部５Ｂが形成され、細径の挿通孔と長径の挿通孔とで形成される。
【００１３】
また、この外ヒンジ部材５の両挿通孔５Ａ間の内側面下部には規制部５Ｃが内方に向けて立設されており、表面を上にした前記片マット本体１Ａ、１Ａの各支持ピン２を外ヒンジ部材５の各挿通孔５Ａに挿通させることにより両外ヒンジ部材５を前記片マット本体１Ａ、１Ａに取付けると、前記片マット本体１Ａ、１Ａの一方の縦長辺の両端部に切除されて形成された被規制部６、６に前記規制部５Ｃが嵌合して両片マット本体１Ａ同士を前記リブ４が形成された裏面側にのみ折り畳み可能に連結する。
【００１４】
即ち、被規制部６、６に前記規制部５Ｃが嵌合する構成であるため、両片マット本体１Ａ同士はリブ４側（裏面側）へは折り畳み可能であるが、前記規制部５Ｃに被規制部６、６が当接して就寝者の腰部などに面する側（表側）へは回動が制限される。
【００１５】
また、図４に示すように、前記両片マット本体１Ａ、１Ａの各支持ピン３に内ヒンジ部材７が上方から嵌合して、前記片マット本体１Ａ同士を回動可能に連結する。即ち、この内ヒンジ部材７には両支持ピン３、３に嵌合する嵌合溝７Ａ、７Ａが開設され、表面を上にした前記片マット本体１Ａ、１Ａの支持ピン３、３に内ヒンジ部材７を嵌合溝７Ａの開放部から嵌合させ、前記片マット本体１Ａ同士を回動可能に連結する。
【００１６】
このようにして、両外ヒンジ部材５、５及び内ヒンジ部材７、７により、片マット本体１Ａ、１Ａ同士を支持ピン２、２、３、３を支点として一方向、即ち裏面側にのみ折り畳み可能に連結する。この後、図５に示すように、裏面側にのみ折り畳み可能に連結されたマット本体１をカバー８で被覆する。
【００１７】
即ち、図６に示す前記カバー８は表生地がカノコ織りのポリエステル材料で裏生地が厚さ５ｍｍのウレタン材料で作製されて伸縮性を備えており、このカバー８内に収納した後、折り返して、マジックテープ（登録商標）などの面ファスナー９同士を結合することにより収納されたマット本体１をカバー８で出し入れ可能に被覆できる。
【００１８】
即ち、図６に示すように、前記カバー８は就寝者の腰部などに面する側の表カバー部８Ａと、この表カバー部８Ａの両側部の一部を折り返した第１裏カバー部８Ｂ、８Ｂと、表カバー部８Ａの一方の端部を折り返した第２裏カバー部８Ｃとで一部を開放した袋を構成し、これらで前記マット本体１を収納する。また、表カバー部８Ａ及び第１裏カバー部８Ｂ、８Ｂには夫々面ファスナー９を設け、前記マット本体１を収納した後、表カバー部８Ａの他方の端部を折り返して、表カバー部８のファスナー９を第１裏カバー部８Ｂ、８Ｂのファスナー９に結合させる。
【００１９】
この場合、面ファスナー９が形成されていない面が就寝者の腰部などに面する側となるように、且つ面ファスナー９が形成されている面が前記マット本体１が折り畳める側となるように、このカバー８内に前記片マット本体１Ａと１Ａとが連結されたマット本体１を収納する。
【００２０】
そして、このようにして作製されたマットを折り畳める側を下にして敷き布団やベッド上に載置して、就寝者がこのマットを腰部などに面するように就寝すると、耳鳴りや腰痛、手足のしびれなどが解消できる。しかも、この小さな片マット本体１Ａを簡易型か中型の射出成形機により成型して作製できるから、高価で大型の射出成形機を使用することなく、安価な設備で量産された複数の片マット本体１Ａ、１Ａを連結することにより大きなマット本体１を作製できる。
【００２１】
また、本マットは、使用しないときには、マット本体１をカバー８で被覆した状態のまま、カバー８も伸縮性を備えたものであるから、裏面側に折り畳んで持ち運びすることができて、誠に便利である。
【００２２】
なお、カバー８内にマット本体１を収納する際に、マット本体１をカバー８で被覆するように面ファスナー９同士で固定してマット本体１が抜けないようにしたが、これに限らず、ボタンとボタンホウル、ボタンとループ、ホックその他の手段で被覆した状態で直ちには抜けないようにしてもよい。
【００２３】
また、本マットは外ヒンジ部材５、５、内ヒンジ部材７、７及び支持ピン２、２、３、３等で折り畳み可能としたが、これに限らず、種々のヒンジ構造により達成することができる。
【００２４】
また、以上の実施形態として、片マット本体１Ａを２枚連結して使用したが、これに限らず、３枚以上を連結するような構成も可能である。更には、マットを例に説明したが、このマットに限らず、就寝者の腰部などには直接接触しない、或いは腰部などに僅かしか接触しないものではあるが、腰枕として使用してもよい。
【００２５】
以上のように、本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００２６】
【図１】マット本体の平面図である。
【図２】マット本体同士を外ヒンジ部材で連結する動作を説明するための斜視図である。
【図３】外ヒンジ部材の斜視図である。
【図４】マット本体同士を内ヒンジ部材で連結する動作を説明するための斜視図である。
【図５】マット本体をカバーに収納する動作を説明するための図である。
【図６】カバーの裏面図である。
【符号の説明】
【００２７】
１    マット本体
１Ａ  マット本体
２    支持ピン
３    支持ピン
５    外ヒンジ部材
５Ｃ  規制部
６    被規制部
７    内ヒンジ部材
８    カバー
【図１】
2009045195.tif 000003
【図２】
2009045195.tif 000004
【図３】
2009045195.tif 000005
【図４】
2009045195.tif 000006
【図５】
2009045195.tif 000007
【図６】
2009045195.tif 000008